Podtech/llm-jp-corpus-v4-ja_patent huggingface dataset:
【手続補正書】
【提出日】平成22年4月20日(2010.4.20)
【手続補正１】
【補正対象書類名】特許請求の範囲
【補正対象項目名】全文
【補正方法】変更
【補正の内容】
【特許請求の範囲】
【請求項１】
遊技盤の前面に形成され、発射手段から発射された遊技球が打ち込まれる遊技領域と、該遊技領域に設けられた複数の始動口と、該複数の始動口のうち第１始動口に遊技球が入球したことに基づいて遊技者に所定の利益を付与する利益付与状態に制御するか否かを判定する第１利益付与判定手段と、前記複数の始動口のうち第２始動口に遊技球が入球したことに基づいて遊技者に所定の利益を付与する利益付与状態に制御するか否かを判定する第２利益付与判定手段と、前記第１利益付与判定手段と前記第２利益付与判定手段との一方の判定がなされたことに基づいて複数種類の図柄情報の変動表示を開始して所定期間経過後に所定の表示結果を導出表示する表示手段と、を備え、前記第１利益付与判定手段と前記第２利益付与判定手段との一方により前記利益付与状態に制御すると判定されたことに基づいて前記表示手段に特定表示結果を導出表示する遊技機において、
前記表示手段を制御して前記図柄情報の変動表示を実行する表示制御手段と、
該特定開閉手段に遊技球が入球したことに基づいて所定の景品球を払い出す景品玉払出手段と、
前記第１利益付与判定手段によって前記利益付与状態に制御すると判定されたときに遊技者に付与される利益が異なる複数種類の利益付与状態のうちいずれかに決定する第１利益種類決定手段と、
前記第２利益付与判定手段によって前記利益付与状態に制御すると判定されたときに遊技者に付与される利益が異なる複数種類の利益付与状態のうちいずれかに決定する第２利益種類決定手段と、
前記遊技領域に設けられ、遊技球の受け入れが容易な開放状態と遊技球の受け入れが困難な閉塞状態とに変化可能な特定開閉手段と、
前記第１利益種類決定手段又は前記第２利益種類決定手段によって前記複数種類の利益付与状態のうち第１利益付与状態に決定されたとき、前記表示手段に前記特定表示結果が導出表示されたことに基づいて遊技球の入球が容易な態様で前記特定開閉手段を開閉制御して前記利益付与状態に制御し、前記第１利益種類決定手段又は前記第２利益種類決定手段によって前記第２利益付与状態に決定されたとき、前記表示手段に前記特定表示結果が導出表示されたことに基づいて遊技球の入球が困難な態様で前記特定開閉手段を開閉制御して前記利益付与状態に制御する利益付与状態制御手段と、
前記表示手段に前記特定表示結果が導出表示されたことに基づいて前記表示制御手段による前記図柄情報の変動表示を規制し、前記利益付与状態制御手段による前記利益付与状態の制御を終了したことに基づいて前記規制を解除する変動規制手段と、
所定の増加条件が成立したことに基づいて前記第２始動口への遊技球の入球割合を通常よりも増加させ、所定の減少条件が成立したことに基づいて前記第２始動口への遊技球の入球割合を通常の割合に減少させる入球割合変更手段と、
所定の昇格条件が成立したことに基づいて前記第１利益付与判定手段及び前記第２利益付与判定手段によって前記利益付与状態に制御すると判定される確率が高い高確率状態に制御し、所定の降格条件が成立したことに基づいて前記第１利益付与判定手段及び前記第２利益付与判定手段によって前記利益付与状態に制御すると判定される確率が前記高確率状態よりも低い低確率状態に制御する確率変更手段と、を備え、
前記第２利益種類決定手段によって前記第２利益付与状態に決定したとき、前記表示手段に前記特定表示結果が導出表示されてから前記利益付与状態制御手段によって前記特定開閉手段を開閉制御するまでの開始待機時間と、前記利益付与状態制御手段による前記利益付与状態の制御を終了してから前記変動規制手段によって前記規制を解除するまでの終了待機時間と、の少なくとも一方を前記第１利益種類決定手段によって前記第２利益付与状態に決定したときよりも短縮し、
前記入球割合変更手段は、前記第１利益種類決定手段又は前記第２利益種類決定手段によって前記第１利益付与状態又は第２利益付与状態に決定されたことに基づいて前記第１利益付与状態及び前記第２利益付与状態の終了後に前記第２始動口への遊技球の入球割合を増加させ、
前記確率変更手段は、前記第１利益種類決定手段又は前記第２利益種類決定手段によって前記第１利益付与状態及び前記第２利益付与状態のいずれかに決定されたことに基づいて前記第１利益付与状態及び前記第２利益付与状態の終了後に前記高確率状態に制御し、
前記表示制御手段は、
前記第１利益種類決定手段又は前記第２利益種類決定手段によって前記第１利益付与状態に決定されたとき、前記複数種類の図柄情報の変動表示を開始して所定期間経過後に前記特定表示結果のうち第１特定表示結果を導出表示し、
前記第１利益種類決定手段又は前記第２利益種類決定手段によって前記第２利益付与状態に決定されたとき、前記複数種類の図柄情報の変動表示を開始して所定期間経過後に前記特定表示結果のうち第２特定表示結果を導出表示し、前記確率変更手段によって前記低確率状態に制御していることを条件に前記高確率状態に制御することを示唆する昇格示唆演出を、前記変動規制手段による前記規制中に実行することを特徴とする遊技機。
【請求項２】
前記表示制御手段は、
前記第１利益付与判定手段又は前記第２利益付与判定手段によって前記第１利益付与状態に決定されたとき、前記図柄情報の変動表示を開始したことに基づいて所定の演出表示の実行を示唆する予告演出表示を実行し、前記第１特定表示結果を導出表示する以前に前記第１利益付与状態に制御することを示唆する結果演出表示を実行し、
前記第１利益付与判定手段又は前記第２利益付与判定手段によって前記第２利益付与状態に決定されたとき、前記確率変更手段によって前記高確率状態に制御していることを条件に前記変動規制手段によって前記図柄情報の変動表示を規制してから該規制を解除するまで前記予告演出表示を実行することを特徴とする請求項１記載の遊技機。
【請求項３】
前記確率変更手段は、前記第１利益種類決定手段又は前記第２利益種類決定手段によって前記複数種類の利益付与状態のうち第３利益付与状態に決定されたことに基づいて前記第３利益付与状態の終了後に前記低確率状態に制御し、
前記利益付与状態制御手段は、前記第１種類決定手段又は前記第２利益種類決定手段によって前記第３利益付与状態に決定されたとき、前記第１利益種類決定手段によって前記第２利益付与状態に決定したときと同様の開始待機時間が経過したことに基づいて前記特定開閉手段の開閉制御を開始し、
前記変動規制手段は、前記第１利益種類決定手段又は前記第２利益種類決定手段によって前記第３利益付与状態に決定されたとき、前記第１利益種類決定手段によって前記第２利益付与状態に決定したときと同様の終了待機時間が経過したことに基づいて前記規制を解除し、
前記表示制御手段は、前記第１利益種類決定手段又は前記第２利益種類決定手段によって前記第３利益付与状態に決定されたとき、前記複数種類の図柄情報の変動表示を開始して所定期間経過後に前記特定表示結果のうち第３特定表示結果を導出表示し、前記確率変更手段によって前記高確率状態に制御していることを条件に前記低確率状態に制御することを示唆する降格示唆演出を、前記変動規制手段による前記規制中に実行することを特徴とする請求項１又は請求項２に記載の遊技機。
【手続補正書】
【提出日】平成22年4月20日(2010.4.20)
【手続補正１】
【補正対象書類名】特許請求の範囲
【補正対象項目名】全文
【補正方法】変更
【補正の内容】
【特許請求の範囲】
【請求項１】
被検体に造影剤を注入する造影剤注入手段と、前記被検体に照射するＸ線を発生するＸ線発生手段と、前記Ｘ線の照射量を制御するＸ線制御手段と、前記Ｘ線発生手段と対向配置され前記被検体の透過Ｘ線を検出してこれをデジタル画像データとして検出する2次元Ｘ線検出手段と、この二次元Ｘ線検出手段で検出した画像データに対して画像処理を施す画像処理手段と、この画像処理手段で処理されたＸ線画像を表示する画像表示手段とを備えたＸ線透視撮影装置であって、
前記画像処理手段は、少なくとも前記造影剤注入手段で前記被検体の血管内に造影剤を注入して撮影した画像を格納するフレームメモリと、このフレームメモリに格納した画像から前記造影剤の移動状態を可視化する画像を生成する造影剤可視化画像生成手段とを備えたことを特徴とするＸ線透視撮影装置。
【請求項２】
前記生成した造影剤可視化画像と現画像とを合成する第一の画像合成手段を備えたことを特徴とする請求項１に記載のＸ線透視撮影装置。
【請求項３】
前記フレームメモリに格納する画像は、前記被検体の血管内に予め塞栓物質を留置させた状態で撮影した画像及び前記造影剤注入手段で前記血管内に造影剤を注入して撮影した画像であって、前記造影剤可視化画像生成手段は、前記フレームメモリに格納した画像間の演算を行う演算手段と、該演算結果から前記注入した造影剤の先端位置を検出する造影剤先端位置検出手段と、該検出した造影剤先端位置情報から該造影剤の移動距離を算出する造影剤移動距離算出手段と、該移動距離を可視化情報に変換する造影剤移動距離可視化手段とを備えたことを特徴とする請求項１又は２に記載のＸ線透視撮影装置。
【請求項４】
さらに、Ｘ線を透過させる非造影剤を注入する非造影剤注入手段と、前記造影剤注入手段から注入される造影剤と前記非造影剤注入手段から注入される非造影剤を排他的に選択して注入する注入選択手段とを備え、前記フレームメモリに格納する画像は、前記造影剤注入手段から注入される造影剤と前記非造影剤注入手段から注入される非造影剤とを一定間隔で前記注入選択手段により選択して間欠的に前記造影剤と非造影剤とを注入して撮影した画像であって、このフレームメモリに格納された前記造影剤を注入した画像と前記非造影剤を注入した画像とを対とした複数の対画像を連結する画像連結手段と、該画像連結手段によって連結した連結画像と現画像とを合成する第二の画像合成手段とを備えたことを特徴とする請求項１に記載のＸ線透視撮影装置。
【手続補正２】
【補正対象書類名】明細書
【補正対象項目名】００１４
【補正方法】変更
【補正の内容】
【００１４】
さらに、X線を透過させる非造影剤を注入する非造影剤注入手段と、前記造影剤注入手段から注入される造影剤と前記非造影剤注入手段から注入される非造影剤を排他的に選択して注入する注入選択手段とを備え、前記フレームメモリに格納する画像は、前記造影剤注入手段から注入される造影剤と前記非造影剤注入手段から注入される非造影剤とを一定間隔で前記注入選択手段により選択して間欠的に前記造影剤と非造影剤とを注入して撮影した画像であって、このフレームメモリに格納された前記造影剤を注入した画像と前記非造影剤を注入した画像とを対とした複数の対画像を連結する画像連結手段と、該画像連結手段によって連結した連結画像と現画像とを合成する第二の画像合成手段とを備え、この第二の画像合成手段で合成した画像を前記画像表示手段に表示する。
【手続補正３】
【補正対象書類名】図面
【補正対象項目名】図１３
【補正方法】変更
【補正の内容】
【図１３】
2008264274.tif 000001
【手続補正書】
【提出日】平成22年4月6日(2010.4.6)
【手続補正１】
【補正対象書類名】特許請求の範囲
【補正対象項目名】全文
【補正方法】変更
【補正の内容】
【特許請求の範囲】
【請求項１】
離れた位置に置かれたスクリーンに視力検査用の視標を投影する視力検査装置において、
視標を照明する照明光源及び光軸方向に移動可能な複数の投影レンズを持ち、前記投影レンズの移動によって前記スクリーンに対する視力検査装置の設置距離に応じた視標の結像位置及び前記スクリーンに対する被検者の検査距離に応じた視標の結像サイズが変更される変倍式の視標投影光学系と、
前記スクリーンに対する視力検査装置の設置距離及び前記スクリーンに対する被検者の検査距離の各設定値を入力する入力手段と、
該入力手段により入力された設置距離及び検査距離に基づいて視標の輝度が所定の基準範囲内に入るように前記視標投影光学系の投影光量を調整する調整手段と、
を備えることを特徴とする視力検査装置。
【請求項２】
請求項１の視力検査装置は、設置距離及び検査距離に応じて予め設定された前記照明光源の発光量の調整値を記憶する記憶手段を備え、前記調整手段は、前記入力手段から入力される設置距離及び検査距離の各設定値の信号と前記記憶手段に記憶された調整値とに基づいて前記照明光源の発光量を調整する手段であることを特徴とする視力検査装置。
【請求項３】
離れた位置に置かれたスクリーンに視力検査用の視標を投影する視力検査装置において、視標を照明する照明光源及び光軸方向に移動可能な複数の投影レンズを持ち、前記投影レンズの移動によって前記スクリーンに対する視力検査装置の設置距離に応じた視標の結像位置及び前記スクリーンに対する被検者の検査距離に応じた視標の結像サイズが変更される変倍式の視標投影光学系と、前記複数の投影レンズの移動位置をそれぞれ検知する位置検知手段と、該位置検知手段の検知結果に基づいて視標の輝度が所定の基準範囲内に入るように前記視標投影光学系の視標の投影光量を調整する調整手段と、を備えることを特徴とする視力検査装置。
【手続補正２】
【補正対象書類名】明細書
【補正対象項目名】０００６
【補正方法】変更
【補正の内容】
【０００６】
上記課題を解決するために、本発明は以下のような構成を備えることを特徴とする。
（１）  離れた位置に置かれたスクリーンに視力検査用の視標を投影する視力検査装置において、視標を照明する照明光源及び光軸方向に移動可能な複数の投影レンズを持ち、前記投影レンズの移動によって前記スクリーンに対する視力検査装置の設置距離に応じた視標の結像位置及び前記スクリーンに対する被検者の検査距離に応じた視標の結像サイズが変更される変倍式の視標投影光学系と、前記スクリーンに対する視力検査装置の設置距離及び前記スクリーンに対する被検者の検査距離の各設定値を入力する入力手段と、該入力手段により入力された設置距離及び検査距離に基づいて視標の輝度が所定の基準範囲内に入るように前記視標投影光学系の投影光量を調整する調整手段と、を備えることを特徴とする。
（２）  （１）の視力検査装置は、設置距離及び検査距離に応じて予め設定された前記照明光源の発光量の調整値を記憶する記憶手段を備え、前記調整手段は、前記入力手段から入力される設置距離及び検査距離の各設定値の信号と前記記憶手段に記憶された調整値とに基づいて前記照明光源の発光量を調整する手段であることを特徴とする。
（３）  離れた位置に置かれたスクリーンに視力検査用の視標を投影する視力検査装置において、視標を照明する照明光源及び光軸方向に移動可能な複数の投影レンズを持ち、前記投影レンズの移動によって前記スクリーンに対する視力検査装置の設置距離に応じた視標の結像位置及び前記スクリーンに対する被検者の検査距離に応じた視標の結像サイズが変更される変倍式の視標投影光学系と、前記複数の投影レンズの移動位置をそれぞれ検知する位置検知手段と、該位置検知手段の検知結果に基づいて視標の輝度が所定の基準範囲内に入るように前記視標投影光学系の視標の投影光量を調整する調整手段と、を備えることを特徴とする。
【手続補正書】
【提出日】平成22年4月20日(2010.4.20)
【手続補正１】
【補正対象書類名】特許請求の範囲
【補正対象項目名】全文
【補正方法】変更
【補正の内容】
【特許請求の範囲】
【請求項１】
所定の判定条件が成立したことにもとづいて遊技者に所定の利益を付与するか否か判定する当落判定手段と、
前記当落判定手段により遊技者に利益を付与すると判定したときに遊技者に利益を付与する利益付与状態に制御する利益付与状態制御手段と、を備え、
前記利益付与状態制御手段により前記利益付与状態に制御するときに特別図柄表示手段にて特別図柄の変動表示を行って特定の図柄を停止表示する遊技機において、
前記特別図柄の変動表示を開始してから停止表示するまでの変動時間にて前記特別図柄の変動表示を行い、前記当落判定手段の判定結果を表示制御する特別図柄制御手段と、
前記特別図柄表示手段とは別個の演出表示手段にて少なくとも前記当落判定手段の判定結果にもとづく演出表示を表示制御する演出表示制御手段と、を備え、
前記演出表示制御手段は、前記特別図柄の変動表示の開始に伴ってドラマ化された一連の演出表示を行い、前記特別図柄の変動時間の経過に合わせて前記当落判定手段の判定結果を通知した後、前記当落判定手段により遊技者に利益を付与する判定がなされたときに前記当落判定手段の判定結果から継続的な演出表示を行うものであり、
前記利益付与状態制御手段は、前記特別図柄の変動時間の経過に合わせて前記演出表示制御手段により前記当落判定手段の判定結果が遊技者に利益を付与する判定である旨を通知した後、前記ドラマ化された一連の演出表示を終了するよりも前に前記利益付与状態の制御を開始することを特徴とする遊技機。
【請求項２】
前記演出表示制御手段は、前記利益付与状態の制御開始に伴って前記利益付与状態の経過にもとづく演出表示を行うにあたり、前記利益付与状態の経過にもとづく演出表示よりも前記当落判定手段の判定結果から継続的な演出表示を優先して表示制御することを特徴とする請求項１記載の遊技機。
【請求項３】
所定の音出力を行う音出力手段と、
前記音出力手段にて前記演出表示制御手段による演出表示に同期した音を出力制御する音出力制御手段と、をさらに備え、
前記音出力制御手段は、前記利益付与状態の制御開始に伴って前記利益付与状態の経過にもとづく演出表示に同期した音に切替えて出力制御することを特徴とする請求項１または請求項２に記載の遊技機。
【手続補正書】
【提出日】平成22年4月20日(2010.4.20)
【手続補正１】
【補正対象書類名】特許請求の範囲
【補正対象項目名】全文
【補正方法】変更
【補正の内容】
【特許請求の範囲】
【請求項１】
所定の判定条件が成立したことにもとづいて遊技者に所定の利益を付与するか否か判定する当落判定手段と、
前記当落判定手段により遊技者に利益を付与すると判定したときに遊技者に利益を付与する利益付与状態に制御する利益付与状態制御手段と、を備え、
前記利益付与状態制御手段により前記利益付与状態に制御するときに特別図柄表示手段にて特別図柄の変動表示を行って特定の図柄を停止表示する遊技機において、
前記特別図柄の変動表示を開始してから停止表示するまでの変動時間にて前記特別図柄の変動表示を行い、前記当落判定手段の判定結果を表示制御する特別図柄制御手段と、
前記特別図柄表示手段とは別個の演出表示手段にて少なくとも前記当落判定手段の判定結果にもとづく演出表示を表示制御する演出表示制御手段と、を備え、
前記演出表示制御手段は、前記特別図柄の変動表示の開始に伴ってドラマ化された一連の演出表示を行い、前記特別図柄の変動時間の経過に合わせて前記当落判定手段の判定結果を通知した後、前記特別図柄の変動時間に関わらず前記当落判定手段の判定結果から継続的な演出表示を行うことを特徴とする遊技機。
【請求項２】
前記演出表示制御手段は、前記利益付与状態の制御開始に伴って前記利益付与状態の経過にもとづく演出表示を行うにあたり、前記利益付与状態の経過にもとづく演出表示よりも前記当落判定手段の判定結果から継続的な演出表示を優先して表示制御することを特徴とする請求項１記載の遊技機。
【請求項３】
所定の音出力を行う音出力手段と、
前記音出力手段にて前記演出表示制御手段による演出表示に同期した音を出力制御する音出力制御手段と、をさらに備え、
前記音出力制御手段は、前記利益付与状態の制御開始に伴って前記利益付与状態の経過にもとづく演出表示に同期した音に切替えて出力制御することを特徴とする請求項１または請求項２に記載の遊技機。
【手続補正２】
【補正対象書類名】明細書
【補正対象項目名】０００６
【補正方法】変更
【補正の内容】
【０００６】
（解決手段１）
所定の判定条件が成立したことにもとづいて遊技者に所定の利益を付与するか否か判定する当落判定手段と、前記当落判定手段により遊技者に利益を付与すると判定したときに遊技者に利益を付与する利益付与状態に制御する利益付与状態制御手段と、を備え、前記利益付与状態制御手段により前記利益付与状態に制御するときに特別図柄表示手段にて特別図柄の変動表示を行って特定の図柄を停止表示する遊技機において、前記特別図柄の変動表示を開始してから停止表示するまでの変動時間にて前記特別図柄の変動表示を行い、前記当落判定手段の判定結果を表示制御する特別図柄制御手段と、前記特別図柄表示手段とは別個の演出表示手段にて少なくとも前記当落判定手段の判定結果にもとづく演出表示を表示制御する演出表示制御手段と、を備え、前記演出表示制御手段は、前記特別図柄の変動表示の開始に伴ってドラマ化された一連の演出表示を行い、前記特別図柄の変動時間の経過に合わせて前記当落判定手段の判定結果を通知した後、前記特別図柄の変動時間に関わらず前記当落判定手段の判定結果から継続的な演出表示を行うことを特徴とする遊技機。
【手続補正３】
【補正対象書類名】明細書
【補正対象項目名】００１５
【補正方法】変更
【補正の内容】
【００１５】
（解決手段３）
所定の音出力を行う音出力手段と、前記音出力手段にて前記演出表示制御手段による演出表示に同期した音を出力制御する音出力制御手段と、をさらに備え、前記音出力制御手段は、前記利益付与状態の制御開始に伴って前記利益付与状態の経過にもとづく演出表示に同期した音に切替えて出力制御することを特徴とする解決手段１または解決手段２に記載の遊技機。
【手続補正書】
【提出日】平成22年4月6日(2010.4.6)
【手続補正１】
【補正対象書類名】特許請求の範囲
【補正対象項目名】請求項６
【補正方法】変更
【補正の内容】
【請求項６】
前記パワー値発生手段は、前記パワー値発生操作が行われなくなったとき、それまでに発生したパワー値を徐々に減少させる請求項１乃至請求項５のいずれかに記載のプログラム。
【手続補正２】
【補正対象書類名】明細書
【補正対象項目名】００１２
【補正方法】変更
【補正の内容】
【００１２】
この発明では、パワー値発生手段により、パワー値発生操作に応じたパワー値を事前に発生させておき、その後、攻撃技出力手段により、攻撃操作に対応して、発生したパワー値を消費して攻撃力を増加させた攻撃技を出力する。このように、パワー値発生手段が、攻撃と同時に行われた操作でパワー値を発生させるのではなく、事前に行われた操作に応じてパワー値を発生させるため、パワー値発生操作の操作手順や操作時間が、攻撃操作によって制約を受けることがなくなって自由度が高くなるため、ゲームを盛り上げる多彩な（たとえば多段階の）パワー値発生操作を設定することが可能になる。
【手続補正３】
【補正対象書類名】明細書
【補正対象項目名】００２１
【補正方法】変更
【補正の内容】
【００２１】
請求項６の発明は、請求項１〜５の発明において、前記パワー値発生手段を、前記パワー値発生操作が行われなくなったとき、それまでに発生したパワー値を徐々に減少させるものとしたことを特徴とする。
【手続補正書】
【提出日】平成22年2月17日(2010.2.17)
【手続補正１】
【補正対象書類名】明細書
【補正対象項目名】００４４
【補正方法】変更
【補正の内容】
【００４４】
次に、取付ボルト８２を緩めて第１の係合部材７１を第１の連結部材６１から取り外し、この第１の係合部材７１を、ハウジング２２の開口２２２およびガイド部材３の開口３１Ａ，３３Ａを通じて上方に引き抜く。これにより、第１の伝動軸２６と第１の連結部材６１との連係が解除される。次に、取付ボルト８３を緩めて第２の係合部材７２を第２の連結部材６２から取り外し、この第２の係合部材７２を、ハウジング２２の開口２２２およびガイド部材３の開口３１Ａ，３３Ａを通じて上方に引き抜く。これにより、第２の伝動軸２７と第２の連結部材６２との連係が解除される。
【手続補正２】
【補正対象書類名】明細書
【補正対象項目名】００４７
【補正方法】変更
【補正の内容】
【００４７】
円筒軸２１（下位部）に対するハウジング２２（上位部）の連結は、分離の際とは逆の手順によって行うことができる。すなわち、まず、ハウジング２２を円筒軸２１に載置し、締結ボルト２３を締めつけることにより、ハウジング２２と円筒軸２１とを連結する。ここで、ノックピン２１１によって円筒軸２１に対するハウジング２２の位置決めが高精度でなされており、分離前とほぼ同じ相対位置関係を維持することができる。次いで、第２の係合部材７２を第２の連結部材６２に取り付け、その後に第１の係合部材７１を第１の連結部材６１に取り付ける。次いで、ピン８１を取り外し、第１および第２の連結部材６１，６２を支持部材２２３に対して相対回転可能な状態にする。
【手続補正書】
【提出日】平成22年9月6日(2010.9.6)
【手続補正１】
【補正対象書類名】特許請求の範囲
【補正対象項目名】全文
【補正方法】変更
【補正の内容】
【特許請求の範囲】
【請求項１】
足裏に配置される底部材と、該底部材表面の親指と人差し指の間に位置し立設された、足指の位置や形状に対しその状態を無理に変えることなく二つの指間に入る薄片状の被挟持片とよりなり、該被挟持片は、少なくとも二本の指の挟持力を十分活用出来る広さを有し、前記の挟持力により全体が持ち上がること、前後左右のずれを止めること、かつ、方向の誘導指示が可能になること等の特徴を有する、履き物。
【請求項２】
被挟持片が解放状態になるように、少なくとも甲覆い箇所を有することを特徴とする、請求項１記載の、履き物。
【請求項３】
被挟持片と甲覆い箇所がつながっていることを特徴する、請求項１記載の、履き物。
【請求項４】
被挟持片の指元側上端部から左右側片に架設されたバンド部を有し、全体がサンダル状となるとともに、該バンド部は足を挿入した状態で足から浮いた状態になるものであることを特徴とする、請求項１、３記載の履き物。
【請求項５】
左右に分離した疑似的被挟持片を有することを特徴とする、請求項１、３記載の、履き物。
【請求項６】
壁部を設けたことを特徴とする、請求項１、２、３、４、５記載の、履き物。
【請求項７】
底部材が中敷きであることを特徴とする、請求項１、２、３、４、５、６記載の、履き物。
【手続補正書】
【提出日】平成22年5月20日(2010.5.20)
【手続補正１】
【補正対象書類名】特許請求の範囲
【補正対象項目名】全文
【補正方法】変更
【補正の内容】
【特許請求の範囲】
【請求項１】
（ａ）眼鏡と、
（ｂ）前記眼鏡のフレームに取り付けられた基準電極と、
（ｃ）前記眼鏡のフレームに取り付けられた脳電図入力電極と、
（ｄ）前記眼鏡のフレームに取り付けられた眼電図入力電極と、
（ｅ）前記眼鏡のフレームに取り付けられた刺激電極と
を具備したことを特徴とする睡眠を検出及び防止するためのサングラス型装置。
【請求項２】
前記脳電図入力電極は、信号増幅及びろ過後のさらなるディジタル信号処理の源として、耳後部からの弱い脳電図信号を検出することを特徴とする請求項１に記載の装置。
【請求項３】
前記眼電図入力電極は、信号増幅及びろ過後のさらなるディジタル信号処理の源として、鼻梁の側面からの弱い眼電図信号を検出することを特徴とする請求項１に記載の装置。
【請求項４】
前記刺激電極は、利用者を起床させるとともに利用者の注意喚起を維持するために、弱い電気又は音響を生成することを特徴とする請求項１に記載の装置。
【請求項５】
（ａ）利用者に、４つの電極が取り付けられたサングラスを具備した装置を着用させる段階であって、該４つの電極は、脳電図及び眼電図信号を同時に検出及び計算するための、基準電極と脳電図入力電極と眼電図入力電極と刺激電極であり、
（ｂ）刺激電極を活性化するために、脳電図（electroencephalogram）及び眼電図（electrooculogram）の両方が減少するとともにアルファ波が増加することを検出する段階と、
（ｃ）刺激電極によって、利用者を起床させる段階と
を具備したことを特徴とする睡眠の検出及び防止のための方法。
【手続補正書】
【提出日】平成22年4月16日(2010.4.16)
【手続補正１】
【補正対象書類名】特許請求の範囲
【補正対象項目名】全文
【補正方法】変更
【補正の内容】
【特許請求の範囲】
【請求項１】
洗濯物を収納する内槽と、前記内槽を収納する外槽と、前記内槽内に送風する送風手段と、前記送風手段により送風される空気を加熱する加熱手段と、前記洗濯物から発生する糸くず等を捕獲する防塵フィルターと、捕獲された前記糸くず等を除去する除塵体を有し、前記除塵体を、本体内を流れる空気で駆動するようにした洗濯乾燥機。
【請求項２】
除塵体はブラシ部材を備え、前記ブラシ部材を防塵フィルターの表面に摺接させて糸くず等を除去するようにした請求項１に記載の洗濯乾燥機。
【請求項３】
除塵体を、本体内を流れる空気で回転駆動しながら、防塵フィルターの表面に沿って移動させるようにした請求項１又は２に記載の洗濯乾燥機。
【請求項４】
除塵体に、本体内を流れる空気を受けて回転する羽根を複数枚設けた請求項１〜３のいずれか１項に記載の洗濯乾燥機。
【請求項５】
少なくとも除塵体及び防塵フィルターを、洗濯運転時に外槽内に溜められる水内に浸漬しない部位に配した請求項１〜４のいずれか１項に記載の洗濯乾燥機。
【請求項６】
少なくとも除塵体及び防塵フィルターを、洗濯運転時に外槽内に溜められる水に浸かる部位に配した請求項１〜４のいずれか１項に記載の洗濯乾燥機
【請求項７】
除塵体で除去された糸くず等を収納するダストボックスを着脱自在に設けた請求項１〜５のいずれか１項に記載の洗濯乾燥機。
【手続補正２】
【補正対象書類名】明細書
【補正対象項目名】００１４
【補正方法】変更
【補正の内容】
【００１４】
第４の発明は、特に、第１〜３のいずれか一つの発明において、除塵体に、本体内を流れる空気を受けて回転する羽根を複数枚設けたもので、羽根により、ベルトなどの動力伝達手段を用いることなく、本体内を流れる空気で除塵体を直接回転駆動できるので、構成、組み立てが簡素化され、洗濯乾燥機を安価に提供できる。
【手続補正３】
【補正対象書類名】明細書
【補正対象項目名】００１５
【補正方法】変更
【補正の内容】
【００１５】
第５の発明は、特に、第１〜４のいずれか一つの発明において、少なくとも除塵体及び防塵フィルターを、洗濯運転時に外槽内に溜められる水内に浸漬しない部位に配したもので、除塵体で除去された糸くず等が水で濡れることが無いので、除去された糸くず等の回収が容易になる。
【手続補正４】
【補正対象書類名】明細書
【補正対象項目名】００１６
【補正方法】変更
【補正の内容】
【００１６】
第６の発明は、特に、第１〜４のいずれか一つの発明において、少なくとも除塵体及び防塵フィルターを、洗濯運転時に外槽内に溜められる水に浸かる部位に配したもので、除塵体で除去された糸くず等が、洗濯やすすぎ運転時に、水に混じり、排水時に、水と共に外部に排出されるので、除去された糸くず等の回収や廃棄操作が不要になり使用勝手が良い。
【手続補正５】
【補正対象書類名】明細書
【補正対象項目名】００１７
【補正方法】変更
【補正の内容】
【００１７】
第７の発明は、特に、第１〜５のいずれか一つの発明において、除塵体で除去された糸くず等を収納するダストボックスを着脱自在に設けたもので、除塵体で除去された糸くず等の回収、廃棄が容易になる。
以下、本発明の実施例について、図面を参照しながら説明する。なお、本実施例によって本発明が限定されるものではない。
【手続補正書】
【提出日】平成22年4月16日(2010.4.16)
【手続補正１】
【補正対象書類名】特許請求の範囲
【補正対象項目名】全文
【補正方法】変更
【補正の内容】
【特許請求の範囲】
【請求項１】
自動車あるいは車両の外面の被洗浄面に付着した汚れ等を洗浄する為の洗車機に使用する洗車機用洗浄ブラシにおいて、前記洗車機用洗浄ブラシはチャンネルブラシ、軸体、及び係止具を有し、前記チャンネルブラシはブラシ片、芯線、及び帯状体からなると共に、前記軸体の外周面に前記係止具にて固定されてあり、前記ブラシ片は先端に細かく分割された細分割部が形成された長尺形状の洗浄部材、及び平板状の保護部材を有し、前記洗浄部材と前記保護部材は重ね合わされ、前記芯線、及び前記帯状体にて挟み付けられ、前記保護部材が前記洗浄部材の外方に位置するよう折り合わされて形成されてあり、前記洗浄部材と前記保護部材とが、前記被洗浄面に当接することを特徴とする洗車機用洗浄ブラシ。
【請求項２】
請求項１記載の構成よりなる洗車機用洗浄ブラシにおいて、保護部材の自由端部は洗浄部材の細分割部の形成領域内にて設定されてあることを特徴とする洗車機用洗浄ブラシ。
【請求項３】
請求項１又は２記載の構成よりなる洗車機用洗浄ブラシにおいて、複数本のチャンネルブラシが螺旋状に軸体に装着されてあると共に、係止具にて固定されてあることを特徴とする洗車機用洗浄ブラシ。
【請求項４】
請求項１又は２記載の構成よりなる洗車機用洗浄ブラシにおいて、少なくとも１本のチャンネルブラシが螺旋状に軸体に巻き付けられてあると共に、係止具にて固定されてあることを特徴とする洗車機用洗浄ブラシ。
【請求項５】
駆動源と、被洗浄面に散布する洗浄剤及び洗浄水を噴出させるノズルと、洗浄後の被洗浄面を乾燥させる乾燥手段を備えると共に、請求項１から４のいずれか１項に記載の洗車機用洗浄ブラシを搭載した洗車機。
【手続補正２】
【補正対象書類名】明細書
【補正対象項目名】００１１
【補正方法】変更
【補正の内容】
【００１１】
前記従来の課題を解決する為に、請求項１の発明の洗車機用洗浄ブラシは、自動車あるいは車両の外面の被洗浄面に付着した汚れ等を洗浄する為の洗車機に使用する洗車機用洗浄ブラシにおいて、前記洗車機用洗浄ブラシはチャンネルブラシ、軸体、及び係止具を有し、前記チャンネルブラシはブラシ片、芯線、及び帯状体からなると共に、前記軸体の外周面に前記係止具にて固定されてあり、前記ブラシ片は先端に細かく分割された細分割部が形成された長尺形状の洗浄部材、及び平板状の保護部材を有し、前記洗浄部材と前記保護部材は重ね合わされ、前記芯線、及び前記帯状体にて挟み付けられ、前記保護部材が前記洗浄部材の外方に位置するよう折り合わされて形成されてあり、前記洗浄部材と前記保護部材とが、前記被洗浄面に当接する。その為、長尺形状の洗浄部材の有する細分割部により、被洗浄面の細かな凹凸部分に強固に付着している汚れが掻き取られると共に、平板状の保護部材により、被洗浄面の広い面積に付着している汚れを迅速に拭い取るので、洗車機用洗浄ブラシは優れた洗浄性能が発揮される。
【手続補正３】
【補正対象書類名】明細書
【補正対象項目名】００１５
【補正方法】変更
【補正の内容】
【００１５】
請求項３の発明の洗車機用洗浄ブラシは、特に、請求項１又は２の発明の洗車機用洗浄ブラシにおいて、複数本のチャンネルブラシが螺旋状に軸体に装着されてあると共に、係止具にて固定されてあるもので、ブラシ片は連続的に被洗浄面に当接する。その為、洗浄性能が大幅に向上すると共に、ブラシ片が被洗浄面に当接する際の当接音の静音化につがる。
【手続補正４】
【補正対象書類名】明細書
【補正対象項目名】００１６
【補正方法】変更
【補正の内容】
【００１６】
請求項４の発明の洗車機用洗浄ブラシは、特に、請求項１又は２の発明の洗車機用洗浄ブラシにおいて、少なくとも１本のチャンネルブラシが螺旋状に軸体に巻き付けられてあると共に、係止具にて固定されてあるもので、チャンネルブラシが傾斜角度を有する為、洗車中における洗車機用洗浄ブラシの保水性が高まり、洗浄性能が飛躍的に向上する。
【手続補正書】
【提出日】平成22年4月19日(2010.4.19)
【手続補正１】
【補正対象書類名】特許請求の範囲
【補正対象項目名】請求項１
【補正方法】変更
【補正の内容】
【請求項１】
手で持つための握柄と、この握柄に取り付けて振ることが出来る柔軟な長尺体とから成り、この長尺体に複数個の発光体を、この発光体の発光が外から見られるように設け、前記発光体と、前記握柄側または前記長尺体側に取り付けた電源と、前記握柄側または前記長尺体側に取り付けたスイッチと、の間を配線して成ることを特徴とする発光遊戯具。
【手続補正２】
【補正対象書類名】明細書
【補正対象項目名】０００５
【補正方法】変更
【補正の内容】
【０００５】  上述の課題はこの発明によれば、手で持つための握柄と、この握柄に取り付けて振ることが出来る柔軟な長尺体とから成り、この長尺体に複数個の発光体を、この発光体の発光が外から見られるように設け、前記発光体と、前記握柄側または前記長尺体側に取り付けた電源と、前記握柄側または前記長尺体側に取り付けたスイッチと、の間を配線して成ることを特徴とする発光遊戯具とすることにより達成される。
【手続補正３】
【補正対象書類名】明細書
【補正対象項目名】０００６
【補正方法】変更
【補正の内容】
【０００６】棒状体等から成る前記握柄はこれを手に持って縦に横に振ったり、くるくると回転させたり、これ等の動作をミックスさせるなどして自由に振ることが出来る。この握柄を握って手や腕を振り回すとこれに取り付けられている柔軟な長尺体がこれに合わせて動作する。この長尺体に設けられている発光体を光らせると、この光は先の長尺体の運動に合わせて光跡を描くようになる。発光体はスイッチを入れることにより電源から電力が供給されて発光する。この発光運動の様子は環境が暗くなるほど明らかに観測される。
【手続補正４】
【補正対象書類名】明細書
【補正対象項目名】００２６
【補正方法】変更
【補正の内容】
【００２６】  図６の回転給電具９はその一側だけを図示したものであるが、中心部に回転軸９０を備えており、これと同心円状に２つの接点金具９１，９２が設けられている。また他側の図示しない回転給電具には前記回転軸９０を受ける軸受けを備えており、前記接点９１，９２にそれぞれ弾接するバネ接点を備えている。従ってこれ等の接点を介して電池から発光ダイオードへ通電される。このような構造の回転給電具は一般的であり任意のものが採用可能である。
【手続補正書】
【提出日】平成22年4月22日(2010.4.22)
【手続補正１】
【補正対象書類名】特許請求の範囲
【補正対象項目名】全文
【補正方法】変更
【補正の内容】
【特許請求の範囲】
【請求項１】
車椅子本体と該車椅子に電動モーターとバッテリーと変換器と充電器と該電動モーター軸に連動する偏心カムを取付け手段を介して取り付け、該偏心カムの回転作用に連動する足台を設け、車椅子利用者下肢の血流促進及び血栓の予防を図ることを特徴とした血流促進及び血栓予防機能付き車椅子。
【手続補正２】
【補正対象書類名】明細書
【補正対象項目名】０００４
【補正方法】変更
【補正の内容】
【０００４】本発明に関る車椅子は、車椅子本体に堅牢な固定枠を設け固定する。該固定枠に電動モーターと変換器とバッテリーと充電器を取り付け該電動モーターの回転軸に取り付け手段を介して偏心カムを取り付け、該偏心カムを覆うように足台を被せ、該足台の後方に固定回転軸を設けて固定枠に取り付けると偏心カムの回転作用に連動して足台は固定回転軸を起点として足台の先方は上下可動する。この作用により足台上の下肢ふくらはぎは健常者が歩行した状態と同様にふくらはぎの筋肉は収縮を繰り返すため筋肉内の血液はポンプ作用により血流が促進されるものである。
【手続補正３】
【補正対象書類名】明細書
【補正対象項目名】０００５
【補正方法】変更
【補正の内容】
【０００５】本発明の車椅子は血流促進及び血栓予防機能付きで、人偽的に脚に外圧等を加えるものでなく、下半身が不自由で歩行者が困難な方でも健常者が日常歩行する際と同様な脚機能が持つ血流のポンプ作用により血流の促進が自然と計れ、この効能により血栓の予防が計れるものである。
また、本発明の車椅子は屋内外で血流の促進が計れるが、屋外での使用が天候や気温等の影響により不適なときでも、血流促進器が電動のため、電源の入、切、により、屋内停車時でも必要に応じ適宜停車位置で使用でき、利用者の健康が配慮できると共に介護人の労力の軽減を計れ、大変便利で効果的である。さらに変換器（６）の利用により、ＡＣ１００Ｖの電気を利用できるので大変便利である。
【手続補正４】
【補正対象書類名】明細書
【補正対象項目名】０００６
【補正方法】変更
【補正の内容】
【０００６】以下、本発明の実施の形態について説明する。
本発明は車椅子は本体（１）に電動モーター（２）を該電動モーターの電源とするバッテリー（５）とＡＣ１００Ｖの電気も利用できるように変換器（６）と電器を該車椅子本体に固定する堅牢な固定枠（１２）に取り付ける。
偏心カム（４）は該電動モーターの回転軸（３）に取り付け手段を介して取り付ける。足台（１３）は利用者の足の向きに対し上下に可動するように足台の片辺に固定回転軸（１５）を取り付け固定枠に取り付ける。
該足台は該偏心カムを覆うように足台を被せる。
偏心カムを可動させると足台の固定回転軸を起点に足台他端は偏心カムに連動して上下可動する。
利用者の足は足台に設けられた足固定具（１０）で固定する。
この機構により足台が上下可動すると足台上にある利用者の下肢は歩行時と同様な筋肉活動をするのでふくらはぎ（１１）は伸縮を繰り返す。
この作用によりふくらはぎ内血管は圧縮と減圧を繰り返す筋肉のポンプ作用により血液が促進される。
この効能は下肢血栓の予防にも役立つ。
【手続補正５】
【補正対象書類名】明細書
【補正対象項目名】０００７
【補正方法】変更
【補正の内容】
【０００７】
【図１】足台が固定枠内で下がった状態
【図２】足台が固定枠内で上がった状態
【図３】固定枠内の構成を上から見た図
【図４】偏心カムと足台の可動状態図
【図５】車椅子の正面
【図６】車椅子の側面
【手続補正６】
【補正対象書類名】明細書
【補正対象項目名】０００８
【補正方法】変更
【補正の内容】
【０００８】  １車椅子本体
２電動モーター
３電動モーター回転軸
４偏心カム
５バッテリー
６変換器
７足台の後方
８フレーム
９足台の先方
１０足固定具
１１ふくらはぎ
１２固定枠
１３足台
１４充電器
１５固定回転軸
１６スイッチ
１７コード
【手続補正７】
【補正対象書類名】図面
【補正対象項目名】全図
【補正方法】変更
【補正の内容】
【図１】
2008264463.tif 000001
【図２】
2008264463.tif 000002
【図３】
2008264463.tif 000003
【図４】
2008264463.tif 000004
【図５】
2008264463.tif 000005
【図６】
2008264463.tif 000006
【手続補正書】
【提出日】平成22年4月21日(2010.4.21)
【手続補正１】
【補正対象書類名】特許請求の範囲
【補正対象項目名】全文
【補正方法】変更
【補正の内容】
【特許請求の範囲】
【請求項１】
遊技場への設置に際して用いられる外枠と、
左右いずれか一方の側部が開閉基端となるようにして前記外枠に開閉可能に支持された遊技機本体と、
当該遊技機本体と前記外枠の下枠部との間に設けられたスピーカユニットと、
を備えており、
前記スピーカユニットは、スピーカと、当該スピーカの収容領域を形成するスピーカ筐体と、を備えており、
当該スピーカ筐体は、取付対象に対して上方から取り付けられて前記収容領域の少なくとも上壁部を構成する筐体部材を備えており、当該筐体部材を取付対象から離脱させることで前記スピーカが露出され、
前記遊技機本体を前記外枠に閉鎖した状態では前記筐体部材が直接的又は間接的に前記遊技機本体を下方から支持することを特徴とする遊技機。
【請求項２】
前記スピーカは、前記収容領域内において前記遊技機本体の開閉先端側に偏倚させた位置に配置されていることを特徴とする請求項１に記載の遊技機。
【請求項３】
前記外枠は、少なくともその下側隅部に、前記遊技機本体を開閉可能に支持する支持部を備えており、
前記スピーカユニットは、前記支持部の領域を除いた領域に設けられていることを特徴とする請求項１又は２に記載の遊技機。
【手続補正書】
【提出日】平成22年4月21日(2010.4.21)
【手続補正１】
【補正対象書類名】特許請求の範囲
【補正対象項目名】全文
【補正方法】変更
【補正の内容】
【特許請求の範囲】
【請求項１】
遊技場への設置に際して用いられる外枠と、
当該外枠に支持された遊技機本体と、
当該遊技機本体と前記外枠の下枠部との間に設けられたスピーカと、
を備えており、
前記スピーカは、その前面を前記下枠部側に向けて設置されているとともに、
当該下枠部には、前記スピーカの前面側から出力された音を遊技機前方へ導く音導出部が形成されていることを特徴とする遊技機。
【請求項２】
前記音導出部は、前記下枠部の上面における前記スピーカの下方位置から前記下枠部の前面に連通し且つ少なくとも左右及び後側が閉塞された形状をなしており、さらに前記下枠部の底面において下方に向けて開放され且つ遊技場における遊技機の設置台により閉塞される下側開放部を備えていることを特徴とする請求項１に記載の遊技機。
【請求項３】
前記スピーカは、スピーカ筐体により形成された収容領域に収容されてスピーカユニットとして設けられており、
前記スピーカ筐体は、
前記スピーカを下方から支えるとともに、前記スピーカの前面側から出力された音を前記音導出部に導く貫通孔が形成された底板部と、
前記スピーカユニットの前記外枠への設置に際して、当該外枠との当接により前記音導出部と前記貫通孔とが連通する位置に前記スピーカユニットを位置決めする位置決め構造と、
を備えていることを特徴とする請求項１又は２に記載の遊技機。
【請求項４】
前記スピーカ筐体は、前面部に音出口部を有しているとともに前記下枠部に沿って左右方向に延びており、さらに内部に前記スピーカの背面側から出力された音を前記音出口部に導く音通路領域を有しており、
前記スピーカを前記スピーカ筐体における左右方向の一方の端部に設置するとともに、前記音出口部を前記スピーカ筐体における左右方向の他方の端部に形成したことを特徴とする請求項３に記載の遊技機。
【請求項５】
前記遊技機本体は左右いずれか一方の側部が開閉基端となるようにして前記外枠に開閉可能に支持されており、
前記スピーカ筐体は、取付対象に対して上方から取り付けられて前記収容領域の少なくとも上壁部を構成する筐体部材を備えており、当該筐体部材を取付対象から離脱させることで前記スピーカが露出される構成であり、
前記スピーカは、前記遊技機本体の開閉先端側に偏倚させた位置に設置されていることを特徴とする請求項３又は４に記載の遊技機。
【手続補正書】
【提出日】平成22年8月26日(2010.8.26)
【手続補正１】
【補正対象書類名】特許請求の範囲
【補正対象項目名】全文
【補正方法】変更
【補正の内容】
【特許請求の範囲】
【請求項１】
地図とともに現在位置を表示する地図表示装置であって、
複数種類の地物について、前記地物の位置及び形状を表す図形データと、前記地物の種類を表す属性情報とがそれぞれ対応付けられて記録されている地図データを取得するデータ取得部と、
現在位置を逐次検出する検出部と、
前記検出部により検出された現在位置を描画する基準となり該現在位置が含まれ得る地物を、該現在位置と前記図形データと前記属性情報とに基づき前記地図データから検索する検索部と、
前記図形データによって表される前記地物を描画するとともに、前記検索部により検索された地物上の所定の位置に現在位置の表示を描画する描画部と
を備える地図表示装置。
【請求項２】
請求項１に記載の地図表示装置であって、
更に、前記地図表示装置の利用者の移動手段の種別を判別する判別部を備え、
前記検索部は、前記判別部により判別された移動手段の種別に応じて、前記検索を行う地物の種類を特定する
地図表示装置。
【請求項３】
請求項１または請求項２に記載の地図表示装置であって、
前記描画部は、前記検索部により検索された地物に対応付けられた属性情報が建物を表す場合に、前記所定の位置として該建物の中心の位置に、前記現在位置の表示を描画する
地図表示装置。
【請求項４】
請求項１ないし請求項３のいずれかに記載の地図表示装置であって、
前記描画部は、前記検索部により検索された地物に対応付けられた属性情報が敷地を表す場合に、前記検出された現在位置に、前記現在位置の表示を描画する
地図表示装置。
【請求項５】
請求項１ないし請求項４のいずれかに記載の地図表示装置であって、
前記描画部は、前記検索部により検索された地物に対応付けられた属性情報が道路を表す場合に、前記所定の位置として、前記検出された現在位置から前記検索された地物である最寄りの道路に引いた垂線と該道路とが交わる位置に、前記現在位置の表示を描画する
地図表示装置。
【請求項６】
請求項１ないし請求項５のいずれかに記載の地図表示装置であって、
前記描画部は、前記検出部により検出された現在位置の近傍に、前記属性情報として前記地図表示装置の利用者が存在し得ない第１の地物の種類が対応付けられた図形データを挟んで、前記属性情報として前記利用者が存在し得る第２の地物の種類が対応付けられた複数の図形データが存在する場合に、前記第２の地物の種類が対応付けられた図形データのうち、いずれか一の図形データが表す地物上の位置に前記現在位置の表示を描画した後には、前記第２の地物の種類が対応付けられた他の図形データが表す地物上の位置に前記現在位置の表示が描画されることを制限する手段を備える
地図表示装置。
【請求項７】
コンピュータが、地図とともに現在位置を表示する地図表示方法であって、
複数種類の地物について、前記地物の位置及び形状を表す図形データと、前記地物の種類を表す属性情報とがそれぞれ対応付けられて記録されている地図データを取得し、
現在位置を逐次検出し、
前記検出された現在位置を描画する基準となり該現在位置が含まれ得る地物を、該現在位置と前記図形データと前記属性情報とに基づき前記地図データから検索し、
前記図形データによって表される前記地物を描画するとともに、前記検索された地物上の所定の位置に現在位置の表示を描画する
地図表示方法。
【請求項８】
コンピュータが、地図とともに現在位置を表示するためのコンピュータプログラムであって、
複数種類の地物について、前記地物の位置及び形状を表す図形データと、前記地物の種類を表す属性情報とがそれぞれ対応付けられて記録されている地図データを取得するデータ取得機能と、
現在位置を逐次検出する検出機能と、
前記検出機能により検出された現在位置を描画する基準となり該現在位置が含まれ得る地物を、該現在位置と前記図形データと前記属性情報とに基づき前記地図データから検索する検索機能と、
前記図形データによって表される前記地物を描画するとともに、前記検索機能により検索された地物上の所定の位置に現在位置の表示を描画する描画機能と
をコンピュータに実現させるコンピュータプログラム。
【請求項９】
請求項８に記載のコンピュータプログラムを記録したコンピュータ読み取り可能な記録媒体。
【手続補正２】
【補正対象書類名】明細書
【補正対象項目名】０００８
【補正方法】変更
【補正の内容】
【０００８】
本発明の一態様である地図表示装置は、
地図とともに現在位置を表示する地図表示装置であって、
複数種類の地物について、前記地物の位置及び形状を表す図形データと、前記地物の種類を表す属性情報とがそれぞれ対応付けられて記録されている地図データを取得するデータ取得部と、
現在位置を逐次検出する検出部と、
前記検出部により検出された現在位置を描画する基準となり該現在位置が含まれ得る地物を、該現在位置と前記図形データと前記属性情報とに基づき前記地図データから検索する検索部と、
前記図形データによって表される前記地物を描画するとともに、前記検索部により検索された地物上の所定の位置に現在位置の表示を描画する描画部と
を備える。